(57)【特許請求の範囲】
【請求項１】
スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、噴射した粒径が１００μｍ〜１ｍｍで各々が独立している不滅性フォームがクリーニング用のゴミ吸着剤として使用に供されることを特徴とする不滅性フォーム生成用スプレー。
【請求項２】
スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、スプレー容器内に害虫誘引除去成分が配合されており、噴射した粒径が１００μｍ〜１ｍｍで各々が独立している不滅性フォームが害虫誘引除去剤として使用に供されることを特徴とする不滅性フォーム生成用スプレー。
【請求項３】
スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、スプレー容器内に動物忌避成分が配合されており、噴射した粒径が１００μｍ〜１ｍｍで各々が独立している不滅性フォームが動物忌避剤として使用に供されることを特徴とする不滅性フォーム生成用スプレー。
【請求項４】
スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、スプレー容器内に除菌消臭成分が配合されており、噴射した粒径が１００μｍ〜１ｍｍで各々が独立している不滅性フォームが除菌消臭剤として使用に供されることを特徴とする不滅性フォーム生成用スプレー。
【発明の詳細な説明】
【０００１】
【発明の属する技術分野】
本発明は、クリーニング用のゴミ吸着剤や害虫誘引除去剤や動物忌避剤等、巾広い分野において利用することができる不滅性フォーム生成用スプレーに関するものである。
【０００２】
【従来の技術】
従来から、例えばディスプレー用の擬似雪に用いられている雪スプレーと称されるフォームスプレーが知られている。このフォームスプレーは、水溶性液体に界面活性剤などの発泡成分を配合し、これに液化ガスを用いて噴射するものである。即ち、水の泡を利用してあたかも雪のように見せるものである。従って、これらのフォームスプレーの場合は、水を介在しており、その水が蒸発すると泡を形成することができず消滅してしまうものであり、長時間にわたって擬似雪を維持することはできないという問題点があった。また、液体が原体であるがゆえに被付着物に成分がそのまま残りシミや汚れの原因にもなるという問題点や、不要になった際の泡の除去作業もやりにくいという問題点もあった。
【０００３】
一方、本発明者は前記擬似雪を利用してゴミを吸着クリーニングしたり、害虫誘引除去や動物忌避等に利用したりすることも試みたが、液体が原体であり被付着物に成分がそのまま残ってシミや汚れの原因になるという問題点や、不要になった際の泡の除去作業がやりにくいという問題点があり、実用化するには至ってないのが現状である。
【０００４】
【発明が解決しようとする課題】
本発明は上記したような従来の問題点を解決して、長時間にわたり使用を継続することが可能で、また不要な際の除去も簡単に行うことが可能な不滅性フォームを供給することができ、更にはクリーニング用のゴミ吸着剤や害虫誘引除去剤や動物忌避剤等、巾広い分野において利用することができる不滅性フォーム生成用スプレーを提供することを目的として完成されたものである。
【０００５】
【課題を解決するための手段】
上記の課題を解決するためになされた本発明は、スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、噴射した粒径が１００μｍ〜１ｍｍで各々が独立している不滅性フォームがクリーニング用のゴミ吸着剤として使用に供されることを特徴とする不滅性フォーム生成用スプレーを第１の発明とする。
また、スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、スプレー容器内に害虫誘引除去成分が配合されており、噴射した粒径が１００μｍ〜１ｍｍで各々が独立している不滅性フォームが害虫誘引除去剤として使用に供されることを特徴とする不滅性フォーム生成用スプレーを第２の発明とする。
また、スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、スプレー容器内に動物忌避成分が配合されており、噴射した粒径が１００μｍ〜１ｍｍで各々が独立している不滅性フォームが動物忌避剤として使用に供されることを特徴とする不滅性フォーム生成用スプレーを第３の発明とする。
また、スプレー容器内に、常温において固体であるロジンエステル、マレイン酸樹脂、ケトン樹脂、アクリル樹脂、炭化水素系高分子物のいずれかの高分子樹脂を液化石油ガスおよび／または液化ガスに溶解させて収納してある不滅性フォーム生成用スプレーであって、スプレー容器内に除菌消臭成分が配合されており、噴射した粒径が１００μｍ〜１ｍｍで各々が独立している不滅性フォームが除菌消臭剤として使用に供されることを特徴とする不滅性フォーム生成用スプレーを第４の発明とする。
【０００６】
【発明の実施の形態】
以下に、本発明の実施の形態を詳細に説明する。
本発明に用いられる高分子樹脂は、常温において固体であって、しかも液化石油ガスや液化ガスに可溶性を示すものであり、このような高分子樹脂としては、ロジンエステル、マレイン酸樹脂、ケトン樹脂、アクリル樹脂、炭化水素系高分子物などがある。これらの高分子樹脂は、融点もしくは軟化点が７０℃以上のもので容易に粉末化でき、またほとんどタック性のないものがよい。
【０００７】
高分子樹脂と液化石油ガスおよび／または液化ガスとの配合割合は、高分子樹脂２５〜７０重量％で残部を液化石油ガスや液化ガスとすることが好ましい。高分子樹脂が２５重量％未満では十分に不滅性フォームを生成することができず、一方、７０重量％より多いと粒状化せずに連続したヒモ状のものになるおそれがあるからである。
【０００８】
このような高分子樹脂を用いることにより、噴射直後に噴霧液が固化し室内で静置しておくと半永久的にその状態を保つ不滅性フォームを生成することになる。即ち、従来の水を利用した泡とは違い、いわゆる風船のような樹脂製の泡状固形物が形成されるのである。このような泡状固形物は、粒径が約１００μｍ〜１ｍｍ程度の極めて微細なものであり、かつ各々が独立しており恰もサラサラの雪のような感触・外観を呈するものである。また、除去処理も粒状のままか、あるいは外力を与えて破砕し粉末化したものを掃除機などで容易に吸引除去できるものである。
このように、本発明で得られる不滅性フォームはサラサラの雪のような感触・外観を呈するものであり、かつ取扱性にも優れているため、ディスプレー用の擬似雪として使用するのに最適なものである。しかも、従来の水を利用した泡とは違い半永久的にその状態を保持できるため、使用時間の制約もなく、シミや汚れを発生させることもない。
【０００９】
また、本発明で得られる不滅性フォームを、クリーニング用のゴミ吸着剤として使用に供することもできる。微粒子である不滅性フォーム自体が埃や汚れを吸着する性質を有しており、床等に散布後、掃除機などで吸引すれば簡単にクリーニングすることができる。特に、カーペット等の毛足の長い部分に適用すると大きな効果が得られる。
なお、スプレー容器内に洗浄成分を配合しておけば、不滅性フォーム自体が洗浄効果を発揮するので、より強力なクリーニング効果が得られることとなる。この場合、洗浄成分の添加量は１０重量％程度までが好ましい。
【００１０】
更に、本発明で得られる不滅性フォームを、害虫誘引除去剤や動物忌避剤や除菌消臭剤等、種々の用途に使用することもできる。この場合は、スプレー容器内に各々の用途に応じて害虫誘引除去成分・動物忌避成分・除菌消臭成分を約１０重量％を上限として添加する。
【００１１】
このように、本発明により得られる不滅性フォームは、従来の水を利用した泡とは違い、粒径が約１００μｍ〜１ｍｍ程度と微細でその形状を半永久的に維持できるものあり、かつ各々が独立していてサラサラの雪のような感触・外観を呈するものである。また、除去処理も粒状のままか、あるいは外力を与えて破砕し粉末化したものを掃除機などで容易に吸引除去できるものである。従って、使用時間の制約もなく、シミや汚れを発生させることもない。
また、床等に散布後、掃除機などで吸引することでクリーニング用のゴミ吸着剤として使用に供することもでき、更には、害虫誘引除去剤や動物忌避剤や除菌消臭剤等、種々の用途に使用することもできるものである。
【００１２】
（実施例１）
スプレー容器内に、表１に示す割合で各成分を収納したスプレーを作成したところ、粒径が約０．５ｍｍの均一な不滅性フォームをスプレー噴射することができた。この不滅性フォームは、サラサラの雪のような感触・外観を呈しており、この不滅性フォームをカーペットに散布した後、掃除機で吸引除去した結果、カーペットはきれいにクリーニングされた状態になった。
【表１】
0003738206.tif 000002
【００１３】
【００１４】
【００１５】
（実施例４）
スプレー容器内に、表４に示す割合で各成分を収納したスプレーを作成したところ、粒径が約０．５ｍｍの均一な不滅性フォームを噴射でき、擬似雪としてディスプレーに最適であった。
【表４】
0003738206.tif 000003
【００１６】
（実施例５）
スプレー容器内に、表５に示す割合で各成分を収納したスプレーを作成したところ、粒径が約０．５ｍｍの均一な不滅性フォームが噴射できた。
【表５】
0003738206.tif 000004
【００１７】
（実施例６）
スプレー容器内に、表６に示す割合で各成分を収納したスプレーを作成したところ、非常に細かい不滅性フォームを噴射でき、カーペットクリーナーとして用いることができた。
【表６】
0003738206.tif 000005
【００１８】
（実施例７）
スプレー容器内に、表７に示す割合で各成分を収納したスプレーを作成したところ、害虫誘引除去成分を含んだ均一な粒度の不滅性フォームが噴射でき、害虫誘引除去剤として使用できた。
【表７】
0003738206.tif 000006
【００１９】
（実施例８）
スプレー容器内に、表８に示す割合で各成分を収納したスプレーを作成したところ、動物忌避成分を含んだ均一な粒度の不滅性フォームが噴射でき、動物忌避剤として使用できた。
【表８】
0003738206.tif 000007
【００２０】
【発明の効果】
以上に説明したように本発明は、長時間にわたり使用を継続することが可能で、また不要な際の除去も簡単に行うことが可能な不滅性フォームを供給することができ、クリーニング用のゴミ吸着剤や害虫誘引除去剤や動物忌避剤等、巾広い分野において利用することができるものである。
よって本発明は、従来の問題点を一掃した不滅性フォーム生成用スプレーとして、産業の発展に寄与するところは極めて大である。